(57)【要約】【課題】  就寝等の際に体の下に敷く敷布団について、睡眠の全時間にわたり充分な通気性を維持し、体の荷重が掛かった部分でも通気性を確保し、カバー体の肌接触感を良好にする。【解決手段】  体に接する上面に凹凸部１３が設けられた布団本体１と、布団本体１の全体を袋状に覆うカバー体２とからなる。カバー体２は、表面層２１，中間層２２，裏面層２３の３層構造に形成されている。カバー体２の表面層２１，裏面層２３は、繊維が編組されたものとされている。カバー体２の中間層２２は、表面層２１，裏面層２３の編目を連結する連結糸からなる。【選択図】図１
0003154904.tif 000002
【実用新案登録請求の範囲】
【請求項１】
体に接する上面に凹凸部が設けられた布団本体と、布団本体の全体を袋状に覆うカバー体とからなる敷布団において、カバー体の少なくとも上面は表面層，中間層，裏面層の３層構造に形成され、カバー体の表面層，裏面層は繊維が編組されたものとされ、カバー体の中間層は表面層，裏面層の編目を連結する連結糸からなることを特徴とする敷布団。
【請求項２】
請求項１の敷布団において、カバー体は３層構造が上面と側面とに形成されていることを特徴とする敷布団。
【請求項３】
請求項１の敷布団において、カバー体は３層構造が上面と側面の布団本体の凹凸部の幅に相当する部分とに形成されていることを特徴とする敷布団。
【考案の詳細な説明】
【技術分野】
【０００１】
本考案は、就寝等の際に体の下に敷く敷布団に係る技術分野に属する。
【背景技術】
【０００２】
一般に、快適な睡眠環境は、室温を２６℃に相対湿度を５０〜６０％に設定することであると考えられている。そして、この睡眠環境については、相対湿度が高くなると、睡眠が顕著に浅くなる（レム睡眠，徐波睡眠が減少して覚醒が増加する）ことが指摘されている。
【０００３】
前述の睡眠環境は、普及している空調機の運転制御によって簡単に実現することができる。然しながら、空調機によって画一的に睡眠環境を調整しても、全ての人が快適な睡眠を得ることができるわけではない。この原因は、個人の新陳代謝（特に発汗）等の相違によるものとされている。即ち、発汗量の多い人では、汗が寝具類に付着，滞溜する等して体の周囲の湿度が上昇してしまうためである。このため、寝具類への汗の付着，滞溜を防止する技術の開発が要望されている。
【０００４】
従来、寝具類への汗の付着，滞溜を防止する技術としては、例えば、特許文献１に記載のものが知られている。
【０００５】
特許文献１には、体に接する上面に凹凸部が設けられた布団本体と、布団本体の全体を袋状に覆うカバー体とからなる敷布団が記載されている。
【０００６】
特許文献１に係る敷布団は、寝具類の中でも就寝等の際に常に体に接触する敷布団について汗の付着，滞溜を防止するもので、布団本体の凹部と袋状にされテンションが掛かって伸展されたカバー体との間隙を通気路として構成して、カバー体（さらには、布団本体）に吸込まれた汗を通気路を流通する通気によって放散させ体の周囲の湿度が上昇するのを防止するものである。
【先行技術文献】
【特許文献】
【０００７】
【特許文献１】特開平７−８３５８号公報
【考案の概要】
【考案が解決しようとする課題】
【０００８】
特許文献１に係る敷布団では、カバー体として吸湿性の良好な布地が採用されるが、汗を吸込んだカバー体が時間の経緯とともに通気路側に凹むように変形し通気路の容積を減少させてしまうため、睡眠の全時間にわたり充分な通気性を維持することができないという問題点がある。また、カバー体自体の通気性が乏しいため、体の荷重が掛かった部分では布団本体の凹凸部が圧縮されて通気路が消失してしまうこともあって全く通気性が確保されなくなるという問題点がある。また、カバー体にクッション性がないため、カバー体の体に接触する感触である肌接触感が不良であるという問題点がある。
【０００９】
本考案は、このような問題点を考慮してなされたもので、睡眠の全時間にわたり充分な通気性を維持することができ、体の荷重が掛かった部分でも通気性が確保されるとともに、カバー体の肌接触感が良好な敷布団を提供することを課題とする。
【課題を解決するための手段】
【００１０】
前述の課題を解決するため、本考案に係る敷布団は、実用新案登録請求の範囲の各請求項に記載の手段を採用する。
【００１１】
即ち、請求項１では、体に接する上面に凹凸部が設けられた布団本体と、布団本体の全体を袋状に覆うカバー体とからなる敷布団において、カバー体の少なくとも上面は表面層，中間層，裏面層の３層構造に形成され、カバー体の表面層，裏面層は繊維が編組されたものとされ、カバー体の中間層は表面層，裏面層の編目を連結する連結糸からなることを特徴とする。
【００１２】
この手段では、カバー体が伸展した状態を維持する保形性と３次元方向の通気性，通水性（透湿性）と厚さ方向に弾性をもったクッション性とを有する表面層，中間層，裏面層の３相構造を備えることで、汗を吸込んだカバー体が時間の経緯とともに通気路側に凹むように変形し通気路の容積を減少させるのを防止し、カバー体自体に通気性，クッション性が確保される。
【００１３】
また、請求項２では、請求項１の敷布団において、カバー体は３層構造が上面と側面とに形成されていることを特徴とする。
【００１４】
この手段では、カバー体の繊細な編組構造からな３層構造の部分が上面と側面とに限定される。
【００１５】
また、請求項３では、請求項１の敷布団において、カバー体は３層構造が上面と側面の布団本体の凹凸部の幅に相当する部分とに形成されていることを特徴とする。
【００１６】
この手段では、カバー体の繊細な編組構造からな３層構造の部分が上面と側面の一部とに限定される。
【考案の効果】
【００１７】
本考案に係る敷布団は、カバー体が伸展した状態を維持する保形性と３次元方向の通気性，通水性（透湿性）と厚さ方向に弾性をもったクッション性とを有する表面層，中間層，裏面層の３相構造を備えることで、汗を吸込んだカバー体が時間の経緯とともに通気路側に凹むように変形し通気路の容積を減少させるのを防止し、カバー体自体に通気性，クッション性が確保されるため、睡眠の全時間にわたり充分な通気性を維持することができ、体の荷重が掛かった部分でも通気性が確保されるとともに、カバー体の肌接触感が良好になる効果がある。
【００１８】
さらに、請求項２として、カバー体の繊細な編組構造からな３層構造の部分が上面と側面とに限定されるため、布団本体との間の通気性を損なうことなくカバーを安価に製造することができる効果がある。
【００１９】
さらに、請求項３として、カバー体の繊細な編組構造からな３層構造の部分が上面と側面の一部とに限定されるため、布団本体との間の通気性を損なうことなくカバーをより安価に製造することができる効果がある。
【図面の簡単な説明】
【００２０】
【図１】本考案に係る敷布団を実施するための形態の第１例の要部の断面図（一部拡大を含む）である。
【図２】図１の全体の斜視図（一部切除）である。
【図３】図１の要部の荷重による変形を示すもので、（Ａ）は荷重が掛かっていない状態を示し、（Ｂ），（Ｃ）は順に荷重が大きくなる状態を示している。
【図４】本考案に係る敷布団を実施するための形態の第２例の要部の断面図である。
【図５】本考案に係る敷布団を実施するための形態の第３例の要部の断面図である。
【図６】本考案に係る敷布団を実施するための形態の第４例の要部の断面図である。
【考案を実施するための形態】
【００２１】
以下、本考案に係る敷布団を実施するための形態を図面に基づいて説明する。
【００２２】
図１〜図３は、本考案に係る敷布団を実施するための形態の第１例を示すものである。
【００２３】
第１例では、床面に敷かれたり寝台に載せられたりする通常の敷布団として構成されるものを示してある。
【００２４】
第１例は、布団本体１，カバー体２，ファスナ３で構成されている。
【００２５】
布団本体１は、ウレタンフォーム等の発泡性樹脂材で方形のマットに形成され、側面１１，下面１２が平坦面とされ、体に接する上面に波形の凹部１３ａ，凸部１３ｂが連続する凹凸部１３が設けられている。なお、凹凸部１３については、成形加工，切断加工等の手段によって形成することができる。
【００２６】
カバー体２は、布団本体１の全体を覆う袋状に形成され、表面層２１，中間層２２，裏面層２３の３層構造になっている。表面層２１，裏面層２３は、ポリアミド，ポリエステル等の繊維がダブルラッセル機等でハニカムメッシュ等に編組されたものである。中間層２２は、表面層２１，裏面層２３の編目を筋違構造，クロス構造，トラス構造等で連結するポリアミドモノフィラメント糸等の連結糸からなる。
【００２７】
このカバー体２は、厚さが２〜２０ｍｍ程度のシート状に形成され、伸展した状態を維持する保形性と、３次元方向（厚さ方向Ｙと厚さ方向Ｙに直交する方向Ｘと）の通気性，通水性（透湿性）と、厚さ方向に弾性をもったクッション性とを有している。なお、厚さ方向Ｙに直交する方向Ｘの通気性，通水性については、主に中間層２２によって実現される。また、クッション性については、中間層２２が弾性変形することによって実現されものであるが、中間層２２における厚さ方向Ｙに直交する方向Ｘへの通気性，通水性を消失させるものではない。また、このクッション性については、主に連結糸からなる中間層２２で実現されるため、かなり繊細な特性をもつことになる。
【００２８】
ファスナ３は、カバー体２の側面に取付けられ、カバー体２を布団本体１から取外して洗濯できるようにするものである。
【００２９】
第１例によると、特許文献１に係る敷布団と同様に、布団本体１の凹凸部１３の凹部１３ａと袋状にされテンションが掛かって伸展されたカバー体２との間隙が通気路Ｒとして構成され、カバー体２（さらには、布団本体１）に吸込まれた汗が通気路Ｒを流通する通気Ａによって放散される。この結果、体の周囲の湿度が上昇するのが防止され、レム睡眠，徐波睡眠が増加して覚醒が減少する深い睡眠である快適な睡眠が提供されることになる。
【００３０】
特に、第１例のカバー体２が３層構造によって伸展した状態を維持する保形性を有しているため、カバー体２が汗を吸込んでも通気路Ｒ側に凹むように変形することがない。従って、使用中にカバー体２の変形で通気路Ｒの容積を減少させてしまうことがなく、睡眠の全時間にわたり充分な通気性を維持することができる。
【００３１】
さらに、第１例のカバー体２が３層構造によって３次元方向の通気性，通水性を有しているため、体の荷重が掛かった部分で布団本体１の凹凸部１３が圧縮されて通気路Ｒが消失してしまうことがあっても、カバー体２に厚さ方向Ｙに直交する方向Ｘへの通気性，通水性が確保される。この結果、体の荷重が掛かった部分でも通気性が確保されることになる（図３（Ｃ）参照）。
【００３２】
さらに、第１例のカバー体２が３層構造によって繊細なクッション性を有しているため、指先等の小さな荷重に対しても弾性変形してクッション性を発揮する。この結果、カバー体２の体に接触する感触である肌接触感が良好になる（図３（Ｂ）参照）。
【００３３】
図４は、本考案に係る敷布団を実施するための形態の第２例を示すものである。
【００３４】
第２例は、カバー体２の３層構造の部分２ａを上面と側面とに限定して、下面を綿等の通常の布地の部分２ｂとしてある。
【００３５】
第２例によると、繊細な編組構造で製造コストが高くなるカバー体２の３層構造の部分２ａを削減して、カバー体２の製造コストを安価にすることができる。また、通気路Ｒがカバー体２の３層構造の部分２ａに対面しているため、前述の通気性が損なわれることはない。
【００３６】
図５は、本考案に係る敷布団を実施するための形態の第３例を示すものである。
【００３７】
第３例は、カバー体２の３層構造の部分２ａを上面と側面の一部とに限定して、下面と側面の他の一部とを綿等の通常の布地の部分２ｂとしてある。カバー体２の側面において３層構造の部分２ａとされる範囲は、布団本体１の凹凸部１３の幅（深さ）に相当している。
【００３８】
第３例によると、繊細な編組構造で製造コストが高くなるカバー体２の３層構造の部分２ａをさらに削減して、カバー体２の製造コストをより安価にすることができる。また、通気路Ｒがカバー体２の３層構造の部分２ａに対面しているため、前述の通気性が損なわれることはない。
【００３９】
図６は、本考案に係る敷布団を実施するための形態の第４例を示すものである。
【００４０】
第４例は、布団本体１の厚さを薄くしてある。なお、カバー体２も布団本体１に対応して小形の袋状に形成されている。
【００４１】
第４例によると、通常の敷布団Ｍの上に敷く補助敷布団として使用することが可能になる。この使用方によると、既存の敷布団Ｍの上に敷くだけで、快適な睡眠が得られることになる。
【００４２】
以上、図示した各例の外に、カバー材２を２枚重ねた２重構造（合計６層構造）とすることも可能である。
【００４３】
さらに、カバー材２の３層構造の表面層２１，裏面層２３の編組形状，編組メッシュを体の接触部位によって変化させたものとすることも可能である。
【産業上の利用可能性】
【００４４】
本考案に係る敷布団は、就寝以外に使用される広範な敷物類に適用することが可能である。
【符号の説明】
【００４５】
１   
布団本体
１３          凹凸部
１３ａ        凹部
１３ｂ        凸部
２            カバー体
２１          表面層
２２          中間層
２３          裏面層
Ｒ            通気路
Ａ            通気
【図１】
0003154904.tif 000003
【図２】
0003154904.tif 000004
【図３】
0003154904.tif 000005
【図４】
0003154904.tif 000006
【図５】
0003154904.tif 000007
【図６】
0003154904.tif 000008